(57)【要約】【課題】意匠的な自由度を有し、外観的な高級感に優れ、さらに耐久性ならびに清掃性に優れた表示パネルを備えた便座装置を提供することを目的とする。【解決手段】本体２１前面に表示パネル２３を備え、前記表示パネル２３は、表示パネル表面を被覆する着色樹脂フィルム２７と同系色の透明樹脂で形成したパネル基材２５で構成することにより、樹脂フィルムに着色を施さない範囲を設けるだけで表示パネル２３に表示ランプ部２８を容易に設けることができ、外観の仕上がり、高級感を損なうことなく自由に表示ランプ部２８の面積を大きく設定することが可能である。【選択図】図１
2006304821.tif 000002
【特許請求の範囲】
【請求項１】
便座と、制御部を有する本体と、前記本体前面に設置した表示パネルを備え、前記表示パネルは、表示パネル表面を被覆する着色樹脂フィルムと同系色の透明樹脂で形成したパネル基材で構成した便座装置。
【請求項２】
表示パネルの端面部は着色樹脂フィルムで被覆しない構成の請求項１に記載の便座装置。
【請求項３】
パネル基材を構成する透明樹脂材料が光の拡散効果を備えた請求項１または２に記載の便座装置。
【発明の詳細な説明】
【技術分野】
【０００１】
本発明は、表示パネルを備えた便座装置に関するものである。
【背景技術】
【０００２】
従来、この種の便座装置の表示部は、印刷などが施された樹脂フィルムを本体前面に平面状に貼り付けた構成が最も一般的であるが、外観的な高級感が要求される機種については、フィルムの表面を曲面形状として意匠的な自由度を高め、さらにフィルム表面の平滑度を向上させる目的で、着色フィルムの内面側に樹脂材料をインサート成形によって一体化させた構成を採用する場合があった（例えば特許文献１参照）。
【０００３】
図３は、従来の便座装置における本体表示部において樹脂インサート成形が施されたフィルムを用いた場合の構成を示し、図４は表示パネルのｂｂ断面の詳細を示すものである。
【０００４】
図に示すように製品本体１を形成する本体ケース２の前面部に、表示パネル３が取り付けられている。表示パネル３は、表面の樹脂フィルム４とその内側の射出成形樹脂部分５によって構成されており、これら２つはインサート成形によって一体化されている。表示パネルの左右端については本体ケース２の幅寸法と同じ大きさとしており、本体ケース２との嵌合隙間６が本体ケースの側面部７に生じるような構成としている。
【０００５】
参考のために、本体ケース２と表示パネル３の嵌合隙間６が本体ケースの上面部８に生じる場合の構成を示す図５と、そのｃｃ断面の詳細を示す図６を記載する。
【０００６】
この場合、嵌合隙間６が製品の上面に位置しているため、汚れやホコリ等が隙間にたまりやすく、特にトイレ環境で使用しているうちに次第に美観を損ねてしまうという課題がある。また隙間が上面に位置することで製品に水がかかった場合など、水が本体内部に浸入する危険性が大きく、その対策のために防水パッキン８を設けなければならない。
【特許文献１】特開２００１−１８２１２５号公報
【発明の開示】
【発明が解決しようとする課題】
【０００７】
しかしながら前記従来の構成において、樹脂フィルム４は表示パネル３の表面をほぼ覆うような形状となっているが、表示パネル３の端面部９においては一部被覆されていない部分１０がある。これはインサート成形する際にまず成形金型のキャビ側に樹脂フィルム４をセットしてから樹脂部分５を射出成形するが、樹脂フィルム４の大きさは必ずキャビ金型より小さくしておく必要があるため、どうしても端面部９を完全に被覆することができないことに起因するものである。樹脂フィルム４の大きさは必ずキャビ金型より小さくしておかなければならない理由は、金型が閉じる際に樹脂フィルム４が金型のパーティング部分にかみ込むと、金型が閉まりきれない分だけ隙間が生じ、その隙間に樹脂が流れ込んで成形バリとなってしまうためである。この樹脂フィルム４で覆われていない部分１０は射出成形樹脂部分５の色であり、樹脂フィルム４の色調とは異なり、両者の継ぎ目がはっきりと見えることによって高級感が損なわれてしまうという課題があった。また樹脂フィルム４はインサート成形時に金型の中での位置にズレが生じてしまうため、部品ごとに端部における樹脂フィルム４と射出成形樹脂部分５の継ぎ目の位置が異なってしまい外観的に安定した部品を加工することが難しいという課題も有していた。
【０００８】
また従来の構成において射出成形樹脂部分５の材料は非透明材料を用いていたが、表示パネルには表示ランプ部１１を設ける際には、その部分は製品内部に設けられたランプ１２からの発光が製品外部から見えるように、表示ランプ部１１だけは射出成形樹脂部分５が存在せず、樹脂フィルム４だけとなるような形状とする必要があった。この場合、表示ランプ１１の面積が小さい場合には問題ないが、面積が大きくなると樹脂フィルム４のみでは強度不足、およびインサート成形後の表示ランプ範囲の表面平滑度の不足が発生するため、結果として表示ランプ部１１の面積が限定されてしまうという課題を有していた。また、表示ランプ１１の範囲内を均一に光らせるためには樹脂フィルム４の内側に拡散インク印刷１３を施しておく必要があり、インクの厚みが薄いと十分な光拡散効果が得られず、ランプ光の見栄えが悪いという課題を有していた。
【０００９】
本発明は、前記従来の課題を解決するもので、製品前面に取り付ける目的でインサート成形によって加工された表示パネルについて、意匠的な自由度を有し、かつ外観的な高級感、美観に優れ、さらに耐久性ならびに清掃性に優れた便座装置の提供を目的とするものである。
【課題を解決するための手段】
【００１０】
前記従来の課題を解決するために本発明の便座装置は、表示パネルを構成するパネル基材の材質として、パネル表面を被覆する着色樹脂フィルムと同系色の透明樹脂材料で構成している。
【００１１】
これによって、高級感を損なうことなく大きい表示部ランプ部が自由に設定することが可能となる。
【発明の効果】
【００１２】
本発明の便座装置は、インサート成形によって加工された表示パネルについて、意匠的な自由度を有し、外観的な高級感、美観に優れ、さらに耐久性ならびに清掃性に優れた製品を提供することができる。
【発明を実施するための最良の形態】
【００１３】
第１の発明は、便座と、制御部を有する本体と、前記本体前面に設置した表示パネルを備え、前記表示パネルは、表示パネル表面を被覆する着色樹脂フィルムと同系色の透明樹脂で形成したパネル基材で構成ものであり、樹脂フィルムに着色を施さない範囲を設けるだけで表示パネルに表示ランプ部を容易に設けることができ、外観の仕上がり、高級感を損なうことなく自由に表示ランプ部の面積を大きく設定することが可能であるという利点を有している。
【００１４】
第２の発明は、特に、第１の発明の表示パネルの端面部は着色樹脂フィルムで被覆しない構成としたことにより、パネル基材の樹脂材質として着色樹脂フィルムの色と同系色の透明樹脂を用いることでパネル基材と着色樹脂フィルムの色調の差が非常に小さくなり、外観の高級感が損なわれないという利点を有している。
【００１５】
第３の発明は、特に、第１または第２の発明のパネル基材を構成する透明樹脂材料が光の拡散効果を備えることで、パネル表面を被覆するフィルムについて光拡散効果を目的とした着色工程を廃止することが可能である。
【００１６】
以下、本発明の実施の形態について、図面を参照しながら説明する。なお、この実施の形態によって本発明が限定されるものではない。
【００１７】
（実施の形態１）
図１は本発明の実施の形態１における便座装置の外観図であり、図２は図１に示すａａ断面における表示パネルの詳細を示すものである。
【００１８】
便座装置の本体２１を形成する本体ケース２２の前面部に、表示パネル２３が取り付けられている。
【００１９】
表示パネル２３は、表面の樹脂フィルム２４とその内側の射出成形樹脂によるパネル基材２５によって構成されており、これら２つはインサート成形によって一体化された構造を有している。樹脂フィルム２４は透明であるが、その内面には印刷工程などによって着色層２６を設け着色樹脂フィルム２７が形成されており、外側からはこの着色樹脂フィルム２７の色しか見えない。パネル基材２５の材質は着色樹脂フィルム２７と同系色の透明樹脂としている。
【００２０】
表示パネル２３には表示ランプ部２８が設けてあり、この範囲内は樹脂フィルム２４に着色層２６が存在せず、パネル内側に設けられたランプ２９からの発光が、パネル基材２５を通過して製品外側に出てゆかねばならないため、パネル基材２５の材料の色そのものが見えるが、着色樹脂フィルム２７と同系色としているために表示ランプ部２８とその周囲の色調差は小さく、ランプ消灯時においても外観上の違和感は少ない。
【００２１】
表示ランプ部の面積が小さい場合においては、その部分のみ射出成形樹脂が存在しない穴部とし、樹脂フィルムのみの構成とすることができるが、面積が大きい場合は樹脂フィルムのみでは強度および表面の平滑度の不足が発生するために実施不可能である。射出成形樹脂の材質を透明に近づけることで穴部を設けなくとも広い面積の表示部を設けることが可能である。
【００２２】
このような構造により、従来はインサート樹脂成形による表示パネルに設けることができなかった広い面積の表示ランプ部を設けることが可能となり、意匠的な自由度が大きくなるという利点を有している。
【００２３】
また、図２に示すように、インサート成形によって加工される表示パネル２３において、樹脂フィルム２４は表示パネル２３の表面をほぼ覆うような形状となっているが、表示パネル２３の端面部３０においては一部被覆されていない部分３１が存在してしまう。
【００２４】
従来の構成においてはパネル基材２５が不透明で、かつ着色樹脂フィルム２７との色調差があるために、両者の継ぎ目が側面方向からはっきりと見えることによって高級感が損なわれてしまうという課題があったが、本発明においてはパネル基材２５の樹脂材質として着色樹脂フィルム２７の色と同系色の透明樹脂を用いることで両者の色調差が非常に小さくなり、外観の高級感が損なわれないという利点を有している。
【００２５】
これは着色された透明樹脂の利点であるところの、ランプ表示部２８などの板厚の薄い部分においては透明度が高くランプ光を減衰させることなく透過させる反面、部品端面３０を側面から見た場合においては板厚に相当する寸法が非常に大きくなるために透明度が低く抑えられ、結果的に同系色の着色樹脂フィルム２７の色とほぼ同化してしまう性質を利用したものである。
【００２６】
なお、本実施の形態におけるパネル基材２５に用いる樹脂材料の中に光の拡散効果を有する成分を混入させることで、ランプ表示部の光を拡散する効果を得ることができる。
【００２７】
上記構成にすることにより、従来、ランプ表示部の光拡散効果を目的として実施していた、樹脂フィルム２４内側への拡散インクによる印刷などの着色をする必要がなく、印刷などの工程が省略できるために製造コストを削減できるばかりか、光拡散効果を持つ樹脂厚みが従来の光拡散インクの印刷厚みよりも大きいため、容易に必要十分な光拡散効果を得ることが可能である。
【産業上の利用可能性】
【００２８】
以上のように、本発明にかかる便座装置は、高級感、美観に優れ、さらに耐久性ならびに清掃性に優れた表示パネルを備えたものであるので、他の家電機器等の表示装置の用途にも適用できる。
【図面の簡単な説明】
【００２９】
【図１】本発明の実施の形態１における便座装置の斜視図
【図２】本発明の実施の形態１における図１に示すａａ断面図
【図３】従来の便座装置の斜視図
【図４】従来の便座装置の図３に示すｂｂ断面図
【図５】従来の便座装置の斜視図
【図６】従来の便座装置の図５に示すｃｃ断面図
【符号の説明】
【００３０】
２１  本体
２３  表示パネル
２５  パネル基材
２７  着色樹脂フィルム
３０  端面部
【図１】
2006304821.tif 000003
【図２】
2006304821.tif 000004
【図３】
2006304821.tif 000005
【図４】
2006304821.tif 000006
【図５】
2006304821.tif 000007
【図６】
2006304821.tif 000008